(57)【要約】【課題】構成が簡単で携帯容易な上、目的地へ赴く間は収納力のあるバッグとして使用でき目的地へ到着後は、レジャーシートとして使用できるような襠付きレジャーシートを提供することである。【解決手段】本発明は、四角形シート（１）の相向き合う辺に位置する小辺の中の少なくとも２箇所に掴み手段を講じたレジャーシートを折り畳むことにより、バッグの底の部分に襠を構成することが出来た。構造上、襠の部分が３重になるため、かさばる物や荷重のかかるものを収納できる収納力のあるバッグとしての機能を兼ね備えることを見出した。【選択図】　図１３
2004041644.tif 000002
【特許請求の範囲】
【請求項１】
レジャーシートの開口部分の相向き合う辺に位置する小辺の中の少なくとも２箇所に掴み手を設け、折り畳むことによりバッグ状物の底面に襠を構成してなる襠付きレジャーシートバッグ
【発明の詳細な説明】
【０００１】
【発明の属する技術分野】
本発明は広げた上体でレジャーシートとして使用でき、且つ折り畳むことによって収納力のあるバッグとして底面に襠を設けたレジャーシートに関するものである。
【０００２】
【従来の技術】
従来よりシートを折り畳むことにより携帯容易なバッグとなるレジャーシートは販売されていたが、耐久性、耐水性、ファッション性を備えた収納力を重視した持ち運びに適したバッグとなるレジャーシートは知られていなかった。
【０００３】
【発明が解決しようとする課題】
各種行楽において、弁当、タオル、洋服の着替えなどかさばる物、また水筒などのような荷重のあるものさえをも収納する機能を兼ね備えたバッグとして使用できるようなレジャーシートを提供することを目的としている。
【０００４】
【課題を解決するための手段】
本発明は、上記目的を達成するため鋭意工夫を行った結果、四角形シートの相向き合う辺に位置する小辺の中の少なくとも２箇所に掴み手段を講じたレジャーシートが、折り畳むことによりバッグの底の部分に襠を構成することが出来た。構造上、襠の部分が３重になるため、かさばる物や荷重のかかるものを収納できる収納力のあるバッグとしての機能を備えるようになり得ることを見出し本発明に至ったのである。
【０００５】
【実施例】
本発明では、図１で示したようにシート面、１、２において折り目３により分割され生じる複数の小辺６を折り畳むことによりバッグ状とした際、お互いに重なり合う小シート面同士が接合するような機構を備えたことによりバッグの底、いわゆる襠の部分を構成することを特徴とする襠付きレジャーシートになる。
【０００６】
本発明で言う小辺とは、四角形のシートを折り畳んだ際に、核シートを折り畳む前のシート周辺の辺が、折り目によって分割され生じた辺をいみする。
【０００７】
本発明では、重なり合う小シート面同士（図１の６ａ、６ｂ、６ｃ）が接合するような機構を備えたことにより襠の部分が３重になり、荷重のかかる物、レジャー用品、食料品等を収納できると共に折り畳んだ際に生じるバッグ状物の開口部の近傍に掴み手段が位置するように意図して核開口部の辺に相当するシートの小辺に掴み手段が設けられている。
【０００８】
シートの材質はこれを特に限定するものではなく、合成樹脂、紙、布、不織布、フラットヤーン、ポリプロピレン、を編んで得られるシート、又はアルミの材質を使ったシートがあげられるが、アルミ素材を使った場合保温、保冷用バッグとしての機能を兼ね備える。
【０００９】
尚、上記したシートに意匠性を付与する目的のため図柄を印刷してもよい。
【００１０】
本発明において、小辺（４）講じられる代表的な掴み手段としては、▲黒四角▼取っ手を取り付ける▲黒四角▼穴を設ける等が挙げられる。以下に上記の手段を個々に、より詳細に説明する。
【００１１】
［▲黒四角▼取っ手を取り付ける］
シートの小辺に取っ手を取り付ける手段としては、逢合、熱有着、熱融着、接着（ホットメルト接着剤等の接着剤）、またはシートと取っ手にお互いに嵌合し合うような部材（例えばホック、面ファスナー等）を設けておき、この部材を嵌合させることにより、固定する方法、尚、これらの方法を併用することも可能である。
【００１２】
［▲黒四角▼穴を設ける］
シートに穴を設ける手段としては、公知の手段が用いられれる。例えば、刃物を用いて穴部をシートから切り取ることにより設ける方法。或いは、プレスで打ち抜くことにより設ける方法が用いられる。また、シートが合成樹脂からなるものであるときは、熱溶断により穴を設けることも出来る。
【００１３】
更に、本発明ではシート表（１）、裏（２）が核シートの辺に平行に折り畳まれて生じる複数の小シート面（６）折り目（３）によって折り畳まれて生じる複数の小シート面（６）のうち、核シートを折り畳んでバッグ状とした際、お互いに向き合う小シート面同士が接合するような機構を備えさせるのが望ましい。
【００１４】
ここでいう小シート面とは、シートを幾重にか重ねられ合ったシート面のそれぞれを指すもので、これを図１（シート裏）、図２、図３（シート表）、図４をもって説明する。
【００１５】
図１は折り畳む前の四角形シートである。点線で示された折り目（３）で折り畳むことにより、小シート面（６）を重合させ図２で示すように、シート（２）バッグの底（襠）と側面を構成する部分が出来上がる。図１、図２はシート（２）折り目（３−１）から（３−２６）、小シート面（６ａ）から（６ｓ）の平面図で、同様に図３、図４はシート（１）折り目（３−１′）から（３−２６′）、小シート面（６ａ′）から（６ｓ′）の平面図である。
【００１６】
図５は本発明において、最も重要なバッグの底（襠）と側面を構成する構造の要部拡大平面図である。
シート面（２）の折り目（３−１０）を（３−１４）に重合させ、出来上がった小シート面（６ａ）は、１重目に（６ｃ）、２重目に（６ｄ）、３重目に（６ａ）と小シート面（６）の重合により、底（襠）の部分が３重になる。これは、図５、図６の要部拡大平面図で示される。
図７は、シート面（２）を内側に折り畳むことによって構成される、バッグ状物の内側の要部拡大模式側面図である。また、図８は、シート面（１）を内側に折り畳むことによって構成される、バッグ状物の外側の要部拡大模式側面図である。
【００１７】
小シート面（６ｇ）（６ｇ′）と（６ｐ）（６ｐ′）は、図１、図５、図６、図７、図８、で示すように構造上、必然的に内側の側面と外側の側面の間にはさまれ、側面の一部を構成することになる。
【００１８】
更に、本発明では、図６で示したバッグ状物の底（襠）の部分を断面図で記したものが図９である。
底（襠）の部分が３重になるため、小シート面（６ｂ′）部は、完全にシート面（２）内側収納部分と隔離され、シート面（１）とシート面（２）では、交わることなく完全に別の空間が出来上がる。図９で示すように小シート面（６ｂ′）部の空間を面ファスナー（７ｃ）と（７ｃ′）で接合する。ここに内側収納部分とは別に、外側に個別の収納部分を形成することに成功した。
【００１９】
図１０は、図３で示されたレジャーシートの面ファスナー（７）が設置された状態を表す。模式斜視図である。面ファスナーは、（７ａ）と（７ａ′）、（７ｂ）と（７ｂ′）、（７ｃ′）と（７ｃ′）がそれぞれ対になり接合するように配置されている。このようにすることにより、シートを折り畳んでバッグ状とした時、バッグ状物が内容物の重みや、携帯時の振動等により開き、内容物が落下することを防止できる。
【００２０】
【発明の効果】
本発明によれば各種行楽において、これらの目的地へ赴く間は収納力のあるバッグとして使用でき構造上、底が３重になるため荷重のかかるものでも持ち運ぶことが出来るため、かさばる物でも一つにまとめて収納することが出来る。目的地へ到着後は、レジャーシートとして使用でき、その上で休息或いは、食事、観戦等が行えるようなシートが提供することが出来るのである。
【図面の簡単な説明】
【図１】折り目（３）と小シート面（６）を説明するための平面図である。
【図２】シートを折り畳むことにより、三重構造の底部が出来上がった平面図である。
【図３】シート面（１）にファスナーが設置された状態を表す平面図である。
【図４】図２の裏面を表した平面図である。
【図５】バッグ状物の底（襠）と側面を構成する構造の要部拡大平面図である。
【図６】図５の小シート面（６）を重合させ出来上がった要部拡大平面図である。
【図７】図６（Ａ）シート面（２）の内側の要部拡大模式側面図である。
【図８】図６（Ｂ）シート面（１）の外側の要部拡大側面図である。
【図９】レジャーシートをバッグ状物としたときの断面図である。
【図１０】レジャーシートに面ファスナーが設置された状態を表す模式斜視図である。
【図１１】図１０の掴み手段の取っ手をつけた状態を表した模式斜視図である。
【図１２】図１０の掴み手段の穴の位置付けをあらわした模式斜視図である。
【図１３】レジャーシートを襠付きバッグ状に折り畳んだところの状態を表す模式斜視図である。
【符号の説明】
１　四角形シート（表）
２　四角形シート（裏）
３　折り目
３−１　折り目
３−１′折り目
３−２　折り目
３−２′折り目
３−３　折り目
３−３′折り目
３−４　折り目
３−４′折り目
３−５　折り目
３−５′折り目
３−６　折り目
３−６′折り目
３−７　折り目
３−７′折り目
３−８　折り目
３−８′折り目
３−９　折り目
３−９′折り目
３−１０　折り目
３−１０′折り目
３−１１　折り目
３−１１′折り目
３−１２　折り目
３−１２′折り目
３−１３　折り目
３−１３′折り目
３−１４　折り目
３−１４′折り目
３−１５　折り目
３−１５′折り目
３−１６　折り目
３−１６′折り目
３−１７　折り目
３−１７′折り目
３−１８　折り目
３−１８′折り目
３−１９　折り目
３−１９′折り目
３−２０　折り目
３−２０′折り目
３−２１　折り目
３−２１′折り目
３−２２　折り目
３−２２′折り目
３−２３　折り目
３−２３′折り目
３−２４　折り目
３−２４′折り目
３−２５　折り目
３−２５′折り目
３−２６　折り目
３−２６′折り目
４　小辺
４−１　小辺
４−２　小辺
４−３　小辺
４−４　小辺
４−５　小辺
４−６　小辺
４−７　小辺
４−８　小辺
４−９　小辺
４−１０　小辺
４−１１　小辺
４−１２　小辺
４−１３　小辺
４−１４　小辺
４−１５　小辺
４−１６　小辺
５　穴
６　小シート面
６ａ　小シート面
６ａ′小シート面
６ｂ　小シート面
６ｂ′小シート面
６ｃ　小シート面
６ｃ′小シート面
６ｄ　小シート面
６ｄ′小シート面
６ｅ　小シート面
６ｅ′小シート面
６ｆ　小シート面
６ｆ′小シート面
６ｇ　小シート面
６ｇ′小シート面
６ｈ　小シート面
６ｈ′小シート面
６ｉ　小シート面
６ｉ′小シート面
６ｊ　小シート面
６ｊ′小シート面
６ｋ　小シート面
６ｋ′小シート面
６１　小シート面
６１′小シート面
６ｍ　小シート面
６ｍ′小シート面
６ｎ　小シート面
６ｎ′小シート面
６ｏ　小シート面
６ｏ′小シート面
６ｐ　小シート面
６ｐ′小シート面
６ｑ　小シート面
６ｑ′小シート面
６ｒ　小シート面
６ｒ′小シート面
６ｓ　小シート面
６ｓ′小シート面
７　面ファスナー（ａとａ′．ｂとｂ′．ｃとｃ′がそれぞれ対になっている）
７ａ　面ファスナー
７ａ′　面ファスナー
７ｂ　面ファスナー
７ｂ′面ファスナー
７ｃ　面ファスナー
７ｃ′面ファスナー
８　取っ手
【図１】
2004041644.tif 000003
【図２】
2004041644.tif 000004
【図３】
2004041644.tif 000005
【図４】
2004041644.tif 000006
【図５】
2004041644.tif 000007
【図６】
2004041644.tif 000008
【図７】
2004041644.tif 000009
【図８】
2004041644.tif 000010
【図９】
2004041644.tif 000011
【図１０】
2004041644.tif 000012
【図１１】
2004041644.tif 000013
【図１２】
2004041644.tif 000014
【図１３】
2004041644.tif 000015